(57)【要約】【課題】施工が容易で確実な固定ができる手すりの固定構造を提供する。【解決手段】建築矩体に、手すりに連接されたフランジを固定する構造において、前記フランジに開口した穴を介してハンガーボルトにより手すりを固定する構造とした。これにより、カバーがボルトの軸線上と干渉する場合においても、構造物にハンガーボルトを予めねじ込んでおき、手すりを仮固定した後に、カバーとの干渉をさける方向から手すりをナットで強固に締結する事ができる為、手すりを構造物に確実に固定することが可能となる。また、大型で重量が大きな手すりであっても、構造物に予めハンガーボルトをねじ込み、手すりのフランジ部をハンガーボルトに通した状態で仮固定して、その後ナットで強固に締結することが出来る為、容易に固定することが可能となる。【選択図】  図１
2004204513.tif 000002
【特許請求の範囲】
【請求項１】
建築矩体に、手すりに連接されたフランジを固定する構造において、前記フランジに開口した穴を介してハンガーボルトにより手すりを固定することを特徴とする手すりの固定構造。
【請求項２】
前記ハンガーボルトの端部に加工されたねじの谷径よりも小径の工具かかり部をハンガーボルトの頂面に設けたことを特徴とする請求項１記載の手すりの固定構造。
【発明の詳細な説明】
【０００１】
【発明の属する技術分野】
本発明は、建築矩体に手すりを固定する構造に関するものである。
【０００２】
【従来の技術】
従来技術としては、手すりを構造物に固定する場合、主にねじによる固定が行なわれていた。
図４は、従来の中間支持部を有する手すりを示す斜視図である。図４において、１０２は手すりを示し、Ｐ部は手すり１０２の端部を、Ｑ部は手すり１０２の中間支持部を示す。図５は、図４のＰ部を鉛直下方向から見た場合の、手すりの固定構造を示す半断面図である。図５において、１Ｂは手すり１０２の握りバーを、２Ｂは支持部の握りバーを示す。握りバー１Ｂと握りバー２Ｂは、Ｒ形状の握りバー１Ｂ’により、連続的に接続されている。また、３は握りバー１Ｂを壁面８に固定する為のフランジを示しており、握りバー１Ｂとフランジ３は溶接等により接合されている。４はフランジ３に設けられたねじ固定用穴を、５はフランジ部分を被うカバーを示す。６はフランジ３を壁面８へ固定する為のねじを示し、ねじ６の頂面７は六角形状をしており、頂面７には図示しないドライバーを使用してねじ込む為の十字穴１７が設けてある。９はねじ６を壁面８にねじ込む為の下穴である。手すり１０２は、フランジ３のねじ固定用穴４にねじ６を通し、壁面８に予め開けられた下穴９にねじ６をねじ込むことによって固定される。
【０００３】
図６は、図４のＱ部を鉛直下方向から見た場合の固定方法を示す半断面図である。図６において、２は中間支持部の握りバーを示す。握りバー１と握りバー２は、直交する形で一体成型又は溶接等で接合された一体構造となっている。
【０００４】
図７は、従来の可動式手すりの固定方法を示す斜視図である。図７において、１０１は可動式手すりを、３Ａは可動式手すり１０１を構造物へ固定する為のフランジを示す。４Ａはフランジ３Ａに設けられたねじ固定用穴を、６Ａはフランジ３Ａを介して建築矩体へ固定する固定用のねじを示す。８は可動式手すり１０１を固定する為の構造物の壁面を示し、９Ａはねじ６Ａをねじ込む為の下穴である。
【０００５】
【発明が解決しようとする課題】
図５に示した従来技術では、カバー５を握りバー１Ｂ’に沿って握りバー１Ｂまで移動させることが出来る為、ねじ６の軸線１６Ｂ上からカバー５を避けた位置まで移動させ、壁面８に対して垂直方向である軸線１６Ｂ上から図示しないドライバーでねじ６の十字穴１７を使用してねじ込むことが可能である。それにより、ねじ６の座面１９とフランジ３を面接触させることが出来る為、容易に且つ確実な固定が可能である。
しかしながら、このようなねじ６を用いた施工の場合、特に重量のある大型の手すりでは手すり１０２を固定する際に手すり１０２自体が重いため、施工者一人では支えきれずに手すり１０２をドリルで傷つけたりする恐れがあるため、施工は二人で行うことが必要となる。そのため施工コストが高くなることがある。
【０００６】
また、図６に示した場合では、握りバー１と握りバー２が直交する形で一体構造となっているので、カバー５の移動範囲が握りバー２の軸線１８上のみに限定されてしまい、ねじ６の軸線１６Ｄからカバー５を外すことが出来ない。その為、図示しないドライバーを使用する場合、カバー５と干渉し、壁面８に対して垂直方向であるねじ６の軸線１６Ｄ上からねじ込むことが不可能である。この理由から、実際の施工現場では、カバー５を避けた壁面に対し斜め方向の軸線１６Ｄ’上から、図示しないドライバーで無理にねじ６がねじ込まれることがあり、その結果フランジ３とねじ６の座面１９が点接触となる為、確実な固定をされない場合が生じていた。また、座面１９とフランジ３を面接触させ確実な固定を行なう為には、壁面に平行な図中のＹ方向から、図示しないスパナでねじ６を回しながら締め込む必要があり、尚且つＸ方向にも力を加え下穴９にねじ込まなければならず、非常に困難な施工を強いられていた。
【０００７】
また、図７に示した従来技術では、可動式手すり１０１を壁面８に仮固定した状態で、ねじ固定用穴４Ａにねじ６Ａを通しながら、壁面８に開けられた下穴９にねじ込まねばならず、可動式手すりの様に大型で重量のある手すりの場合には、１人で施工を行なうことが非常に困難であった。
そこで、本発明では上記の問題点を解決するため、施工が容易で確実な固定ができる手すりの固定構造を提供することを目的とする。
【０００８】
【課題を解決するための手段】
本発明の請求項１では建築矩体に、手すりに連接されたフランジを固定する構造において、前記フランジに開口した穴を介してハンガーボルトにより手すりを固定する構造とした。これにより、カバーがボルトの軸線上と干渉する場合においても、構造物にハンガーボルトを予めねじ込んでおき、手すりを仮固定した後に、カバーとの干渉をさける方向から手すりをナットで強固に締結する事ができる為、手すりを構造物に確実に固定することが可能となる。
また、大型で重量が大きな手すりであっても、構造物に予めハンガーボルトをねじ込み、手すりのフランジ部をハンガーボルトに通した状態で仮固定して、その後ナットで強固に締結することが出来る為、容易に固定することが可能となる。
【０００９】
本発明の請求項２では、ハンガーボルトの端部に加工されたねじの谷径よりも小径の工具かかり部をハンガーボルトの頂面に設けたことを特徴とした手すりの固定構造とした。これにより、ハンガーボルトを壁面にねじ込む際、頂面に設けた工具のかかり部分に、そのまま工具を接続してねじ込むことが可能となる為、更に施工が容易になる。
【００１０】
【発明の実施の形態】
以下に図面を参照して本発明をより具体的に説明する。
【００１１】
図１は、本発明の一実施例を示す中間支持部を有する手すりの場合の固定方法の半断面図である。図１において、１０２は図６と同じ中間支持部を有する手すりを示す。１０はハンガーボルトを示し、メートルねじ側の１１とタッピンねじ側の１２を有している。施工方法は、まず、メートルねじ側１１に、ナット１３を２個取り付けダブルナットとしてお互いをロックし、ロックしたナット１３を図示しない工具によって回して、予め建築矩体である壁面８に開けられた下穴９にハンガーボルト１０をねじ込み固定する。その後、ナット１３を全て外し、壁面８に固定したハンガーボルト１０に、フランジ３のねじ固定用穴４を差し込み仮固定する。フランジ３から出ているハンガーボルト１０のメートルねじ側１１に、再びナット１３を手で回しながらねじ込んで、最後にカバー５と干渉しない図中のＹ方向より図示しないスパナによりしっかりと固定する。このように、カバー５が、握りバー２の軸線１８上しか移動できず、ハンガーボルト１２の軸線１６上を避けることが出来ない場合であっても、ハンガーボルト１０を使用することで、Ｙ方向からの容易な固定が可能となる。
【００１２】
また図２は、本発明の他の実施例を示す可動式手すりの固定方法を示す斜視図である。図２において、１０１は図７と同じ可動式手すりを示す。上記固定方法と同様に、予め壁面８に開けられた下穴９Ａにハンガーボルト１０Ａをねじ込んで固定する。その後、壁面８に固定したハンガーボルト１０Ａに可動式手すり１０１のねじ固定用穴４Ａを挿し込み仮固定する。その後ナット１３Ａを手で回しながらハンガーボルト１０Ａにねじ込み、図示しない工具によりしっかりと固定する。このように、大型で重量のある可動式手すりであっても、手で支えながら仮固定し困難な体勢で施工する必要が無く、１人でも容易で確実な固定が可能となる。
【００１３】
図３は、本発明のもう一つの実施例を示す、ハンガーボルトの斜視図である。図３において、１０Ｃはハンガーボルトを示し、メートルねじ側１１Ｃとタッピンねじ側１２Ｃを有している。メートルねじ側の頂面７Ｃには、メートルねじ側１１Ｃの谷径１４Ｃよりも小さな六角穴１５Ｃを設けており、六角穴１５Ｃに適した図示しない工具により、壁面にねじ込むことが可能となる。頂面７Ｃには、１５Ｃのような六角穴のみならず、谷径１４Ｃよりも小さな形状であれば、四角穴、プラス穴、マイナス穴、六角頭、四角頭でも良いことは、言うまでも無いことである。
【発明の効果】
本発明は上記構成により次の効果を発揮する。
請求項１では建築矩体に、手すりに連接されたフランジを固定する構造において、前記フランジに開口した穴を介してハンガーボルトにより手すりを固定する構造とした。これにより、カバーがボルトの軸線上と干渉する場合においても、構造物にハンガーボルトを予めねじ込んでおき、手すりを仮固定した後に、カバーとの干渉をさける方向から手すりをナットで強固に締結する事ができる為、手すりを構造物に確実に固定することが可能となる。
また、大型で重量が大きな手すりであっても、構造物に予めハンガーボルトをねじ込み、手すりのフランジ部をハンガーボルトに通した状態で仮固定して、その後ナットで強固に締結することが出来る為、容易に固定することが可能となる。
請求項２では、ハンガーボルトの端部に加工されたねじの谷径よりも小径の工具かかり部をハンガーボルトの頂面に設けたことを特徴とした手すりの固定構造とした。これにより、ハンガーボルトを壁面にねじ込む際、頂面に設けた工具のかかり部分に、そのまま工具を接続してねじ込むことが可能となる為、更に施工が容易になる。
【図面の簡単な説明】
【図１】本件発明の一実施の形態である中間支持部を有する場合の固定方法を示す半断面図である。
【図２】本件発明における他実施の形態である可動式手すりの固定方法を示す斜視図である。
【図３】本件発明における別の一実施の形態であるハンガーボルトを示す斜視図である。
【図４】従来の中間支持部を有する手すりを示す斜視図である。
【図５】従来の中間支持部を有する手すりの端部の固定方法を示す半断面図である。
【図６】従来の中間支持部を有する場合の固定方法を示す半断面図である。
【図７】従来の可動式手すりの固定方法を示す斜視図である。
【符号の説明】
１、１Ｂ、１Ｂ’：握りバー
２、２Ｂ：握りバー
３、３Ａ：フランジ
４、４Ａ：ねじ固定用穴
５：カバー
６、６Ａ：ねじ
７、７Ｃ：頂面
８：壁面
９、９Ａ：下穴
１０：ハンガーボルト
１１：メートルねじ側
１２：タッピンねじ側
１４Ｃ：谷径
１５Ｃ：六角穴
１７：十字穴
１８：軸線
１９：座面
１０１：可動式手すり
１０２：手すり
Ｐ：Ｌ型手すりの端部
Ｑ：Ｌ型手すりの中間支持部
【図１】
2004204513.tif 000003
【図２】
2004204513.tif 000004
【図３】
2004204513.tif 000005
【図４】
2004204513.tif 000006
【図５】
2004204513.tif 000007
【図６】
2004204513.tif 000008
【図７】
2004204513.tif 000009